(57)【特許請求の範囲】
【請求項１】
検査測定箱及び前記検査測定箱の中に設置された検査測定空間を含み、前記検査測定空間の中には挟持機構が設置され、前記検査測定空間の中には試験体を置くために使用される支持板が設置され、前記試験体は外壁材料と接着剤で前記外壁材料の前側に固定された石材とを含み、前記試験体を前記支持板の前側に置いた後、前記挟持機構は前記試験体を前記支持板の前端面に押し当て、
前記検査測定箱の中には冷却空間が設置され、前記冷却空間の中には冷却送風機構が設置され、前記検査測定空間の内壁の中には空き空間が設置され、前記冷却送風機構の送風管と前記空き空間とが連通され、前記空き空間と前記検査測定空間とが前記連通孔により連通され、前記冷却送風機構が始動された後に生じた冷気は前記空き空間の中に入り、冷気は前記連通孔を介して前記検査測定空間の中に入って前記検査測定空間に対して均等に温度を下げ、
前記検査測定空間の後壁には加湿器が固定的に設置され、前記加湿器は自然環境での湿度の変化を模擬するために使用され、
前記検査測定空間の中には風吹き出し機構が設置され、前記風吹き出し機構は前記試験体に対して風を送り、自然環境の風力を模擬し、風力が前記試験体に与える影響を反映でき、
前記検査測定空間の中にはスプレー機構が設置され、前記スプレー機構は水を前記試験体にスプレーし、自然環境の雨水を模擬し、雨水が前記試験体に与える影響を反映でき、
前記検査測定空間の前壁には電熱板が固定的に設置され、前記電熱板が始動された後、前記検査測定空間内の温度を上げられ、
前記検査測定空間の中には振動機構が設置され、前記試験体が一定期間処理された後、前記振動機構は前記試験体を振動させ、前記振動機構は振動頻度を連続的に高められ、前記石材が前記外壁材料から脱落した時の振動頻度により、前記試験体の耐寒性の強弱を得られることを特徴とする建築材料耐寒性の検査測定設備。
【請求項２】
前記風吹き出し機構は前記検査測定空間の後壁に固定的に設置された旋転モーターを含み、前記旋転モーターの前側には旋転軸が伝動可能に連結され、前記旋転軸には旋転ブロックが固定的に設置され、前記旋転ブロックの片側端面には換気扇が固定的に設置されていることを特徴とする請求項１に記載の建築材料耐寒性の検査測定設備。
【請求項３】
前記旋転軸が左右対称に設置され、左右の前記旋転軸がプーリにより伝動可能に連結され、これにより異なる方向の風を吹かせることを模擬できることを特徴とする請求項２に記載の建築材料耐寒性の検査測定設備。
【請求項４】
前記スプレー機構は前記検査測定箱の中に設置された貯水空間を含み、前記貯水空間の中には水が貯蔵され、前記検査測定空間の後壁には固定ブロックが左右対称かつ固定的に設置され、前記固定ブロックの前端面には連結管が固定的に設置され、前記連結管の一端には噴射ヘッドが固定的に設置され、前記貯水空間の中にはウォーターポンプが設置され、前記連結管と前記ウォーターポンプの水管とが連通されていることを特徴とする請求項１に記載の建築材料耐寒性の検査測定設備。
【請求項５】
前記検査測定空間の後壁には水受け板が固定的に設置され、前記水受け板は弧状の板であり、前記検査測定空間には排水管が固定的に設置されていることを特徴とする請求項４に記載の建築材料耐寒性の検査測定設備。
【請求項６】
前記水受け板は前端が高くて後端が低い構成であり、水の流れに便利を与えることを特徴とする請求項５に記載の建築材料耐寒性の検査測定設備。
【請求項７】
前記挟持機構は前記監査測定空間の中に設置されかつ前記検査測定空間と連通したガイド空間を含み、前記ガイド空間の前壁には駆動モーターが固定的に設置され、前記駆動モーターの後側にはネジロッドが伝動可能に連結され、前記ガイド空間の中にはガイドブロックがスライド可能に設置され、前記ガイドブロックと前記ネジロッドとがネジ山により連結され、前記ガイドブロックの後端面には第一緩衝空間が設置され、前記第一緩衝空間の中には第一装着ブロックがスライド可能に設置され、前記第一装着ブロックと前記第一緩衝空間の内壁との間には第一ばねが連結され、前記第一装着ブロックの後端面には中間ロッドが固定的に設置され、前記中間ロッドの後端には伝動板が固定的に設置され、前記伝動板の後端面には連結ロッドが上下対称かつ固定的に設置され、前記連結ロッドの後端には挟持板が固定的に設置され、前記挟持板が前記外壁材料の前端面に当接して前記外壁材料を挟持することを特徴とする請求項１に記載の建築材料耐寒性の検査測定設備。
【請求項８】
前記振動機構は前記検査測定空間の後壁の中に設置された第二緩衝空間を含み、前記第二緩衝空間の中には第二装着ブロックがスライド可能に設置され、前記第二装着ブロックと前記第二緩衝空間の内壁との間には第二ばねが連結され、前記第二装着ブロックの前端面にはモーターが固定的に設置され、前記モーターの前側には動力軸が伝動可能に連結され、前記動力軸には偏心輪が固定的に設置され、前記動力軸の前端と前記支持板の後端面とが固定的に連結されていることを特徴とする請求項７に記載の建築材料耐寒性の検査測定設備。
【請求項９】
前記検査測定空間の右壁には湿度計と温度計が固定的に設置されていることを特徴とする請求項１に記載の建築材料耐寒性の検査測定設備。
【発明の詳細な説明】
【技術分野】
【０００１】
本願発明は建築技術分野に関わり、具体的には建築材料耐寒性の検査測定設備である。
【背景技術】
【０００２】
経済の発展につれて、高層ビルも多くなり、高層ビルの美観性を向上させるために、高層ビルの外壁にはいずれも大理石などの石材があり、大理石のような石材は一般的に接着剤により外壁に貼り付けられ、自然環境で、特に北方地域では、冬季と夏季の温度差が大きいため、冬季の温度は極低くて春秋の際に、朝と夜の温度差は大きく、このような温度変化で接着剤の接着効果が低下し、石材が脱落する恐れがあり、従い、接着剤と石材に対して耐寒性の検査測定を行う必要があり、今、このような設備はまだなく、上記の問題を解決するため、本願発明を開示する。
【先行技術文献】
【特許文献】
【０００３】
【特許文献１】中国特許出願公開第１０９６１３０４４号明細書
【発明の概要】
【発明が解決しようとする課題】
【０００４】
本願発明は建築材料耐寒性の検査測定設備を提供することによって上記の問題を解決することを目的とする。
【課題を解決するための手段】
【０００５】
本願発明は以下の技術的プランによって実現される。
【０００６】
本願発明の建築材料耐寒性の検査測定設備は、検査測定箱及び前記検査測定箱の中に設置された検査測定空間を含み、前記検査測定空間の中には挟持機構が設置され、前記検査測定空間の中には試験体を置くために使用される支持板が設置され、前記試験体は外壁材料と接着剤で前記外壁材料の前側に固定された石材とを含み、前記試験体を前記支持板の前側に置いた後、前記挟持機構は前記試験体を前記支持板の前端面に押し当て、
前記検査測定箱の中には冷却空間が設置され、前記冷却空間の中には冷却送風機構が設置され、前記検査測定空間の内壁の中には空き空間が設置され、前記冷却送風機構の送風管と前記空き空間とが連通され、前記空き空間と前記検査測定空間とが前記連通孔により連通され、前記冷却送風機構が始動された後に生じた冷気は前記空き空間の中に入り、冷気は前記連通孔を介して前記検査測定空間の中に入って前記検査測定空間に対して均等に温度を下げ、
前記検査測定空間の後壁には加湿器が固定的に設置され、前記加湿器は自然環境での湿度の変化を模擬するために使用され、
前記検査測定空間の中には風吹き出し機構が設置され、前記風吹き出し機構は前記試験体に対して風を送り、自然環境の風力を模擬し、風力が前記試験体に与える影響を反映でき、
前記検査測定空間の中にはスプレー機構が設置され、前記スプレー機構は水を前記試験体にスプレーし、自然環境の雨水を模擬し、雨水が前記試験体に与える影響を反映でき、
前記検査測定空間の前壁には電熱板が固定的に設置され、前記電熱板が始動された後、前記検査測定空間内の温度を上げられ、
前記検査測定空間の中には振動機構が設置され、前記試験体が一定期間処理された後、前記振動機構は前記試験体を振動させ、前記振動機構は振動頻度を連続的に高められ、前記石材が前記外壁材料から脱落した時の振動頻度により、前記試験体の耐寒性の強弱を得られる。
【０００７】
前記風吹き出し機構は前記検査測定空間の後壁に固定的に設置された旋転モーターを含み、前記旋転モーターの前側には旋転軸が伝動可能に連結され、前記旋転軸には旋転ブロックが固定的に設置され、前記旋転ブロックの片側端面には換気扇が固定的に設置されている。
【０００８】
前記旋転軸が左右対称に設置され、左右の前記旋転軸がプーリにより伝動可能に連結され、これにより異なる方向の風を吹かせることを模擬できる。
【０００９】
前記スプレー機構は前記検査測定箱の中に設置された貯水空間を含み、前記貯水空間の中には水が貯蔵され、前記検査測定空間の後壁には固定ブロックが左右対称かつ固定的に設置され、前記固定ブロックの前端面には連結管が固定的に設置され、前記連結管の一端には噴射ヘッドが固定的に設置され、前記貯水空間の中にはウォーターポンプが設置され、前記連結管と前記ウォーターポンプの水管とが連通されている。
【００１０】
前記検査測定空間の後壁には水受け板が固定的に設置され、前記水受け板は弧状の板であり、前記検査測定空間には排水管が固定的に設置されている。
【００１１】
前記水受け板は前端が高くて後端が低い構成であり、水の流れに便利を与える。
【００１２】
前記挟持機構は前記監査測定空間の中に設置されかつ前記検査測定空間と連通したガイド空間を含み、前記ガイド空間の前壁には駆動モーターが固定的に設置され、前記駆動モーターの後側にはネジロッドが伝動可能に連結され、前記ガイド空間の中にはガイドブロックがスライド可能に設置され、前記ガイドブロックと前記ネジロッドとがネジ山により連結され、前記ガイドブロックの後端面には第一緩衝空間が設置され、前記第一緩衝空間の中には第一装着ブロックがスライド可能に設置され、前記第一装着ブロックと前記第一緩衝空間の内壁との間には第一ばねが連結され、前記第一装着ブロックの後端面には中間ロッドが固定的に設置され、前記中間ロッドの後端には伝動板が固定的に設置され、前記伝動板の後端面には連結ロッドが上下対称かつ固定的に設置され、前記連結ロッドの後端には挟持板が固定的に設置され、前記挟持板が前記外壁材料の前端面に当接して前記外壁材料を挟持する。
【００１３】
前記振動機構は前記検査測定空間の後壁の中に設置された第二緩衝空間を含み、前記第二緩衝空間の中には第二装着ブロックがスライド可能に設置され、前記第二装着ブロックと前記第二緩衝空間の内壁との間には第二ばねが連結され、前記第二装着ブロックの前端面にはモーターが固定的に設置され、前記モーターの前側には動力軸が伝動可能に連結され、前記動力軸には偏心輪が固定的に設置され、前記動力軸の前端と前記支持板の後端面とが固定的に連結されている。
【００１４】
前記検査測定空間の右壁には湿度計と温度計が固定的に設置されている。
【発明の効果】
【００１５】
本願発明の有益な効果は：建築材料を本願発明の中に置き、本願発明は温度、風力、湿度を調整することにより、建築材料試験体に四季気温の変化を体験させ、しばらく経つと、試験体に振動テストを行い、石材が脱落するか否かを観察し、石材が外壁から脱落すると、石材が脱落する時の振動頻度を記録し、こうして建築材の耐寒性は使用標準に達するか否かが分かれる。
【図面の簡単な説明】
【００１６】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１７】
【図１】図１は本願発明の全体構成概略図
【図２】図２は図１の「ＡーＡ」の構成概略図
【図３】図３は図１の「ＢーＢ」の構成概略図
【図４】図４は図２の「ＣーＣ」の構成概略図
【発明を実施するための形態】
【００１８】
附図１〜４に示している建築材料耐寒性の検査測定設備は、検査測定箱１０及び前記検査測定箱１０の中に設置された検査測定空間４２を含み、前記検査測定空間４２の中には挟持機構９２が設置され、前記検査測定空間４２の中には試験体６０を置くために使用される支持板２８が設置され、前記試験体６０は外壁材料３０と接着剤で前記外壁材料３０の前側に固定された石材３８とを含み、前記試験体６０を前記支持板２８の前側に置いた後、前記挟持機構９２は前記試験体６０を前記支持板２８の前端面に押し当て、
前記検査測定箱１０の中には冷却空間１１が設置され、前記冷却空間１１の中には冷却送風機構１２が設置され、前記検査測定空間４２の内壁の中には空き空間１４が設置され、前記冷却送風機構１２の送風管１３と前記空き空間１４とが連通され、前記空き空間１４と前記検査測定空間４２とが前記連通孔１５により連通され、前記冷却送風機構１２が始動された後に生じた冷気は前記空き空間１４の中に入り、冷気は前記連通孔１５を介して前記検査測定空間４２の中に入って前記検査測定空間４２に対して均等に温度を下げ、
前記検査測定空間４２の後壁には加湿器２０が固定的に設置され、前記加湿器２０は自然環境での湿度の変化を模擬するために使用され、
前記検査測定空間４２の中には風吹き出し機構９３が設置され、前記風吹き出し機構９３は前記試験体６０に対して風を送り、自然環境の風力を模擬し、風力が前記試験体６０に与える影響を反映でき、
前記検査測定空間４２の中にはスプレー機構９０が設置され、前記スプレー機構９０は水を前記試験体６０にスプレーし、自然環境の雨水を模擬し、雨水が前記試験体６０に与える影響を反映でき、
前記検査測定空間４２の前壁には電熱板４９が固定的に設置され、前記電熱板４９が始動された後、前記検査測定空間４２内の温度を上げられ、
前記検査測定空間４２の中には振動機構９１が設置され、前記試験体６０が一定期間処理された後、前記振動機構９１は前記試験体６０を振動させ、前記振動機構９１は振動頻度を連続的に高められ、前記石材３８が前記外壁材料３０から脱落した時の振動頻度により、前記試験体６０の耐寒性の強弱を得られる。
【００１９】
有益なように、前記風吹き出し機構９３は前記検査測定空間４２の後壁に固定的に設置された旋転モーター２６を含み、前記旋転モーター２６の前側には旋転軸２４が伝動可能に連結され、前記旋転軸２４には旋転ブロック２５が固定的に設置され、前記旋転ブロック２５の片側端面には換気扇２７が固定的に設置されている。
【００２０】
有益なように、前記旋転軸２４が左右対称に設置され、左右の前記旋転軸２４がプーリ２９により伝動可能に連結され、これにより異なる方向の風を吹かせることを模擬できる。
【００２１】
有益なように、前記スプレー機構９０は前記検査測定箱１０の中に設置された貯水空間３４を含み、前記貯水空間３４の中には水が貯蔵され、前記検査測定空間４２の後壁には固定ブロック１８が左右対称かつ固定的に設置され、前記固定ブロック１８の前端面には連結管１７が固定的に設置され、前記連結管１７の一端には噴射ヘッド１９が固定的に設置され、前記貯水空間３４の中にはウォーターポンプ３１が設置され、前記連結管１７と前記ウォーターポンプ３１の水管３６とが連通されている。
【００２２】
有益なように、前記検査測定空間４２の後壁には水受け板４１が固定的に設置され、前記水受け板４１は弧状の板であり、前記検査測定空間４２には排水管４０が固定的に設置されている。
【００２３】
有益なように、前記水受け板４１は前端が高くて後端が低い構成であり、水の流れに便利を与える。
【００２４】
有益なように、前記挟持機構９２は前記監査測定空間４２の中に設置されかつ前記検査測定空間４２と連通したガイド空間５２を含み、前記ガイド空間５２の前壁には駆動モーター５０が固定的に設置され、前記駆動モーター５０の後側にはネジロッド５１が伝動可能に連結され、前記ガイド空間５２の中にはガイドブロック５３がスライド可能に設置され、前記ガイドブロック５３と前記ネジロッド５１とがネジ山により連結され、前記ガイドブロック５３の後端面には第一緩衝空間５８が設置され、前記第一緩衝空間５８の中には第一装着ブロック５７がスライド可能に設置され、前記第一装着ブロック５７と前記第一緩衝空間５８の内壁との間には第一ばね５６が連結され、前記第一装着ブロック５７の後端面には中間ロッド５４が固定的に設置され、前記中間ロッド５４の後端には伝動板５５が固定的に設置され、前記伝動板５５の後端面には連結ロッド３９が上下対称かつ固定的に設置され、前記連結ロッド３９の後端には挟持板２２が固定的に設置され、前記挟持板２２が前記外壁材料３０の前端面に当接して前記外壁材料３０を挟持する。
【００２５】
有益なように、前記振動機構９１は前記検査測定空間４２の後壁の中に設置された第二緩衝空間４４を含み、前記第二緩衝空間４４の中には第二装着ブロック４６がスライド可能に設置され、前記第二装着ブロック４６と前記第二緩衝空間４４の内壁との間には第二ばね４５が連結され、前記第二装着ブロック４６の前端面にはモーター４７が固定的に設置され、前記モーター４７の前側には動力軸４８が伝動可能に連結され、前記動力軸４８には偏心輪４３が固定的に設置され、前記動力軸４８の前端と前記支持板２８の後端面とが固定的に連結されている。
【００２６】
有益なように、前記検査測定空間４２の右壁には湿度計２３と温度計３７が固定的に設置されている。
【００２７】
本願発明全体の機械動作の順序は以下の通りである。
【００２８】
１．試験体６０を作り、接着剤により石材３８を外壁材料３０に固定し、
２．試験体６０を検査測定空間４２の中に置き、さらに支持板２８の前側に置き、駆動モーター５０を始動してネジロッド５１が回転し、ガイドブロック５３が後ろに移動して中間ロッド５４により伝動板５５を駆動して後ろに移動させ、
３．伝動板５５と同じ品名と規格の連結ロッド３９が外壁材料３０を駆動して後ろに移動させて外壁材料をきつく挟み、
４．冷却送風機構１２が始動され、冷風は送風管１３により空き空間１４の中に入り、そして連通孔１５により検査測定空間４２の中に吹き込み、これにより検査測定空間４２の温度を均等に下げ、温度計３７により検査測定空間４２内の温度を測れ、検査測定空間４２内の温度が指定された要件に達した時、下がらなくなり、
５．ウォーターポンプ３１が定時に始動され、貯水空間３４の中の水は水管３６、連結管１７、噴射ヘッド１９により噴出され、水は試験体６０に吹き付けられ、雨が降る情況を模擬し、
６．水が水受け板４１に落ち、排水管４０により排出され、
７．湿度計２３により検査測定空間４２内の湿度を測れ、検査測定空間４２内の湿度が指定要件に達しない時、加湿器２０が始動されて加湿口２１により検査測定空間４２内の空気に加湿を行い、検査測定空間４２内の湿度が高すぎると、除湿器１６は始動されて検査測定空間４２内の湿度が指定された要件に達するまで除湿を行い、これにより四季の湿度変化を模擬し、
８．換気扇２７が始動されて試験体６０に風を送り、左右の換気扇２７が別々に起動でき、旋転モーター２６を始動した後、換気扇２７の風吹き角度を調整でき、こうして異なる方向の風を吹かせることを模擬でき、
９．試験体６０が一定期間処理された後、モーター４７を始動し、動力軸４８が偏心輪４３を駆動して回転させ、そして試験体６０を駆動して振動させ、動力軸４８の回転速度を連続的に高め、こうして振動頻度が高められ、石材３８が外壁材料３０から脱落した時、モーター４７が止まり、
１０．石材３８が外壁材料３０から脱落する時、脱落のために生じた振動頻度が高ければ高いほど、試験体６０の耐寒性がよくなる。
【００２９】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は建築材料耐寒性の検査測定設備を開示した。
【解決手段】
検査測定箱及び前記検査測定箱の中に設置された検査測定空間を含み、前記検査測定空間の中には挟持機構が設置され、前記検査測定空間の中には試験体を置くために使用される支持板が設置され、前記試験体は外壁材料と接着剤で前記外壁材料の前側に固定された石材とを含み、前記試験体を前記支持板の前側に置いた後、前記挟持機構は前記試験体を前記支持板の前端面に押し当て、建築材料を本願発明の中に置き、本願発明は温度、風力、湿度を調整することにより、建築材料試験体に四季気温の変化を体験させ、しばらく経つと、試験体に振動テストを行い、石材が脱落するか否かを観察し、石材が外壁から脱落すると、石材が脱落する時の振動頻度を記録し、こうして建築材の耐寒性は使用標準に達するか否かが分かれる。
【選択図】図１【図１】
0006784890.tif 000002
【図２】
0006784890.tif 000003
【図３】
0006784890.tif 000004
【図４】
0006784890.tif 000005